(57)【要約】      （修正有）【課題】腕力と腰部及び腹部を鍛錬可能なフィットネスマシンを提供する。【解決手段】ベース１は、頂点部に、細長い形のスライドレール槽１０を備える。スライドレール槽内には、弾性プルベルトを連接するプルグリップフレーム１４を嵌めて設置し、前記プルグリップフレーム底端には、ベース内部のスライド槽に沿ってスライド移動が可能な滑車台を設置する。また、前記ベース末端には、連結片により、スライド槽の可動接続を経て、固定停止台３を固定して接続し、前記固定停止台の表面には、軟質のクッション２を配する。【選択図】図１
0003169187.tif 000002
【実用新案登録請求の範囲】
【請求項１】
腕力と腰部及び腹部を鍛錬可能なフィットネスマシンは、ベース、クッション、固定停止台により組成し、前記ベースは、頂点部に、細長い形のスライドレール槽を備え、
底部にはキャスターを設置し、前縁にはライト指示窓を設置する長方形のサポートフレーム体で、
前記スライドレール槽内には、弾性プルベルトを連接するプルグリップフレームを嵌めて設置し、
しかも、前記プルグリップフレーム底端には、ベース内部のスライド槽に沿ってスライド移動が可能な滑車台を設置し、
また、前記ベース末端には、連結片により、スライド槽の可動接続を経て、固定停止台を固定して接続し、前記固定停止台の表面は、軟質のクッションであることを特徴とする腕力と腰部及び腹部を鍛錬可能なフィットネスマシン。
【請求項２】
前記クッションは、前後にスライド移動する構造を備え、弾性ピンを、底台固定設置体の異なるピン孔に挿入することで、前記クッションの位置を調整することを特徴とする請求項１に記載の腕力と腰部及び腹部を鍛錬可能なフィットネスマシン。
【請求項３】
前記ベース上のライト指示窓は、外に設置する独立したユニット体とすることができることを特徴とする請求項１に記載の腕力と腰部及び腹部を鍛錬可能なフィットネスマシン。
【考案の詳細な説明】
【技術分野】
【０００１】
本考案は腕力と腰部及び腹部を鍛錬可能なフィットネスマシンに関し、特に頂点部に細長い形のスライドレール槽を備え、底部にはキャスターを設置し、前縁にはライト指示窓を設置するベースを備え、スライドレール槽内に弾性プルベルトを連接するプルグリップフレームを嵌めて設置し、プルグリップフレーム底端には、ベース内部のスライド槽に沿ってスライド移動が可能な滑車台を設置し、ベース末端には軟質のクッションを備える固定停止台を可動状に接続し、ベースと固定停止台を床面に平らに置き、使用者は両膝で、クッション上に跪き、両手でプルグリップフレームを握り、うつぶせになり、身体を前傾させる圧力と手を前方へと延伸する推力を利用し、両手で、プルグリップフレームを前方へと押し、弾性プルベルトを引き伸ばし、ライト指示窓の指示を対応させ、手で、プルグリップフレームをツイストさせ、及び腰部と腹部に力を入れ、キャスターを利用し、ベースを回してライト指示窓へと向かわせ、押して最前端まで移動すると、弾性プルベルトの弾力により、自動的に戻り、こうして往復運動をすることで、腕力と腰部及び腹部を鍛錬する効果を達成することができ、しかも、ライト指示窓の指示に合わせ、違った方向へとツイストする変化が生まれ、フィットネスにゲームの作用を取り入れることができ、面白味と持続性を向上させることができる腕力と腰部及び腹部を鍛錬可能なフィットネスマシンに関する。
【背景技術】
【０００２】
食生活の乱れと運動不足に日々さらされている現代人は、健康に対する意識が非常に高い。そのため、アスレチックマシン、或いはフィットネス器具といわれるものが生まれた。しかし、従来のアスレチックマシン、或いはフィットネス器具の中では、腕力と腰部及び腹部を同時に鍛錬可能な器具は、極めて少なく、たとえあったとしても、非常に高価で、またはとてつもなく重い。しかも、長期間使用を続けさせるための誘因が欠乏しているため、業界では改良の必要が唱えられている。本考案は、従来のアスレチックマシン、或いはフィットネス器具の上記欠点に鑑みてなされたものである。
【考案の概要】
【考案が解決しようとする課題】
【０００３】
本考案が解決しようとする課題は、フィットネスにゲームの作用を取り入れることができ、面白味と持続性を向上させることができる腕力と腰部及び腹部を鍛錬可能なフィットネスマシンを提供することである。
【課題を解決するための手段】
【０００４】
上記課題を解決するため、本考案は下記の腕力と腰部及び腹部を鍛錬可能なフィットネスマシンを提供する。
腕力と腰部及び腹部を鍛錬可能なフィットネスマシンは、頂点部に細長い形のスライドレール槽を備え、底部にはキャスターを設置し、前縁にはライト指示窓を設置するベースを備え、
スライドレール槽内には、弾性プルベルトを連接するプルグリップフレームを嵌めて設置し、プルグリップフレーム底端には、ベース内部のスライド槽に沿ってスライド移動が可能な滑車台を設置し、ベース末端には、軟質のクッションを備える固定停止台を可動状に接続し、ベースと固定停止台を床面に平らに置き、使用者は両膝で、クッション上に跪き、両手でプルグリップフレームを握り、うつぶせになり、身体を前傾させる圧力と手を前方へと延伸する推力を利用し、両手で、プルグリップフレームを前方へと押し、弾性プルベルトを引き伸ばし、ライト指示窓の指示を対応させ、手で、プルグリップフレームをツイストさせ、及び腰部と腹部に力を入れ、キャスターを利用し、ベースを回してライト指示窓へと向かわせ、押して最前端まで移動すると、弾性プルベルトの弾力により、自動的に戻り、こうして往復運動をすることで、腕力と腰部及び腹部を鍛錬する効果を達成することができ、しかも、ライト指示窓の指示に合わせ、違った方向へとツイストする変化が生まれ、フィットネスにゲームの作用を取り入れることができ、面白味と持続性を向上させることができ、クッションは、前後に移動させて固定を調整することができるため、全体の長さを変えることができ、さまざまな身長の使用者に適応させることができ、ライト指示窓は、外に設置する独立したユニットとすることができ、これにより視角と回転移動の角度を増大させることができる。
【考案の効果】
【０００５】
本考案の腕力と腰部及び腹部を鍛錬可能なフィットネスマシンは、腕力と腰部及び腹部を同時に鍛錬することができ、フィットネスにゲームの作用を取り入れることができ、面白味と持続性を向上させることができる。
【図面の簡単な説明】
【０００６】
【図１】本考案第一実施例の立体図である。
【図２】本考案第一実施例の側視図である。
【図３】本考案第二実施例の立体図である。
【図４】本考案第一実施例の立体分解図である。
【考案を実施するための形態】
【０００７】
以下に図面を参照しながら本考案を実施するための最良の形態について詳細に説明する。
【実施例】
【０００８】
本考案の腕力と腰部及び腹部を鍛錬可能なフィットネスマシンは、ベース１、クッション２、固定停止台３により組成する。
ベース１は、長方形のサポートフレーム体で、頂点部には細長い形のスライドレール槽１０を備え、底部にはキャスター１１を設置し、前縁にはライト指示窓１２を設置する。
スライドレール槽１０内には、弾性プルベルト１３を連接するプルグリップフレーム１４を嵌めて設置する。
しかも、プルグリップフレーム１４底端には、ベース１内部のスライド槽１５に沿ってスライド移動が可能な滑車台１６を設置する。
また、ベース１末端には、連結片１７により、スライド槽１８の可動接続を経て、固定停止台３を固定して接続する。
固定停止台３の表面は、軟質のクッション２である。
クッション２は、前後にスライド移動する構造を備え、弾性ピン２０を、異なる底台固定設置体２２のピン孔２１に挿入することで、クッション２の位置を調整することができる。
これにより、全体の長さを調整し、身長が異なる使用者に適応させることができる。
さらに、ベース１上のライト指示窓１２は、図３、４に示す外に設置する独立したユニット体とし、使用時の視角と回転移動の角度を増大させることができる。
【０００９】
実際の操作しての使用時には、使用者は、ベース１と固定停止台３を、床面に平らに置く。
次に、使用者の身長に応じて、弾性ピン２０の係合固定を取り除き、クッション２を適当な位置まで前後に押して移動させる。
それから、弾性ピン２０を、底台固定設置体２２のピン孔２１内に挿入して設置し、固定する。
次に、両膝で、クッション２上に跪き、両手でプルグリップフレーム１４を握る。
うつぶせになり、身体を前傾させる圧力と手を前方へと延伸する推力を利用し、両手で、プルグリップフレーム１４を前方へと押し、弾性プルベルト１３を引き伸ばす。
さらに、ライト指示窓１２の指示を対応させ、手で、プルグリップフレーム１４をツイストさせ、及び腰部と腹部に力を入れ、キャスター１１と連結片１７を利用し、スライド槽１８に沿って、ベース１を回してライト指示窓１２へと向かわせる。
【００１０】
押して最前端まで移動すると、弾性プルベルト１３の弾力により、自動的に戻り、こうして往復運動をすることで、腕力と腰部及び腹部を鍛錬する効果を達成することができる。
しかも、ライト指示窓１２の指示の変化を合わせることで、違った方向へとツイストする変化が生まれ、フィットネスにゲームの作用を取り入れることができ、面白味と持続性を向上させることができる。
【００１１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１３】
１  ベース
１０  スライドレール槽
１１  キャスター
１２  ライト指示窓
１３  弾性プルベルト
１４  プルグリップフレーム
１５  スライド槽
１６  滑車台
１７  連結片
１８  スライド槽
２  クッション
２０  ピン
２１  ピン孔
２２  底台固定設置体
３  固定停止台
【図１】
0003169187.tif 000003
【図２】
0003169187.tif 000004
【図３】
0003169187.tif 000005
【図４】
0003169187.tif 000006